(57)【要約】【課題】  パチンコ機に関する基本情報、そのパチンコ機の基本スペックを遊技者に有効に知らせることができる遊技機を提供する。【解決手段】  パチンコ機の電源がオンされたときに（Ｓ１）、待機映像表示手段によって液晶パネル上に待機映像を表示する（Ｓ２）。この待機映像は、そのパチンコ機に関する基本情報（例えば、基本スペック）に関する表示画面を含んでいる。また、始動チャッカーに入球が有ったときには（Ｓ３のＹＥＳ）、待機映像の表示を終了するとともに、タイマの計時を開始する（Ｓ４）。始動チャッカーに入球があった後、所定時間、入球がない場合（Ｓ５のＹＥＳ）、遊技が続けられるときには待機映像を表示する（Ｓ２）。【選択図】      図４
2006296472.tif 000002
【特許請求の範囲】
【請求項１】
始動入賞口と、前記始動入賞口に遊技球が入球したことに基づき図柄を変動表示する図柄表示装置とを備え、前記図柄が特定図柄の組合せで揃った際に大当たり遊技を実行する遊技機において、
前記始動入賞口に所定時間以上、遊技球が入球しなかった際に、前記始動入賞口に遊技球が入球するまで、前記図柄表示装置に待機映像を表示する待機映像表示手段を備え、
前記待機映像に前記遊技機に関する基本情報の表示画面を含ませた、
ことを特徴とする遊技機。
【請求項２】
始動入賞口と、前記始動入賞口に遊技球が入球したことに基づき図柄を変動表示する図柄表示装置とを備え、前記図柄が特定図柄の組合せで揃った際に大当たり遊技を実行する遊技機において、
前記大当たり遊技の実行中に、前記図柄表示装置に大当たり映像を表示する大当たり映像表示手段を備え、
前記大当たり映像に前記遊技機に関する基本情報の表示画面を含ませた、
ことを特徴とする遊技機。
【発明の詳細な説明】
【技術分野】
【０００１】
本発明は、パチンコ機等の遊技機に関し、詳しくは、遊技機の画像表示手段にその遊技機についての基本情報を表示するようにした遊技機に係る。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入球し、あるいは入球せずに遊技盤下部のアウト口に流入するように構成されたものが知られている（特許文献１参照）。
【０００３】
このようなパチンコ機では、一般入賞口に入球した際にそれに対応した個数の遊技球が払い出され、また始動チャッカー（始動入賞口）に入賞した際にはこれに基づいて大当たり抽選が行われるとともに所定数の遊技球が払い出され、その抽選の結果に応じて、遊技盤の中央部分に設けられた液晶等からなるメイン表示装置（図柄表示装置）の画面上で所定の演出表示が行われる。大当たりの発生時には、アタッカーと呼ばれる大入賞口が開放し、入球に対応して多量の遊技球が払い出される状態となる。
【０００４】
【特許文献１】特開２００３−２３６２１０号公報
【発明の開示】
【発明が解決しようとする課題】
【０００５】
ところで、上述のような遊技機においては、その遊技機についての基本情報である基本スペック（賞球数、大当り確立（低確率時及び高確率時）、確変タイプ、リミッターなど）が遊技機の表面側に表示されている。
【０００６】
しかしながら、この基本スペックの表示は、遊技機前面の目立たない箇所になされているため、遊技者にはほとんど有効な情報として伝達されることがない、という問題があった。
【０００７】
また、遊技機についての基本情報としては、上述の基本スペックの外に、その遊技機の特徴や遊技方法などがあるが、これらについては、従来、遊技者、特に初心者に有効に伝達する手段がない、という問題もあった。
【０００８】
そこで、本発明は、遊技者が使用するその遊技機についての基本情報を表示する表示画面を、図柄表示装置装置の待機映像や大当たり映像に含ませ、もって上述の課題を解決するようにした遊技機を提供することを目的とするものである。
【課題を解決するための手段】
【０００９】
請求項１に係る本発明は（例えば、図１ないし４参照）、始動入賞口（４５）と、前記始動入賞口（４５）に遊技球が入球したことに基づき図柄を変動表示する図柄表示装置（２８）とを備え、前記図柄が特定図柄の組合せで揃った際に大当たり遊技を実行する遊技機（１）において、
前記始動入賞口（４５）に所定時間以上、遊技球が入球しなかった際に、前記始動入賞口（４５）に遊技球が入球するまで、前記図柄表示装置（２８）に待機映像を表示する待機映像表示手段（５１）を備え、
前記待機映像に前記遊技機（１）に関する基本情報の表示画面を含ませた、
ことを特徴とする遊技機（１）にある。
【００１０】
請求項２に係る本発明は（例えば、図１ないし３、図５参照）、始動入賞口（４５）と、前記始動入賞口（４５）に遊技球が入球したことに基づき図柄を変動表示する図柄表示装置（２８）とを備え、前記図柄が特定図柄の組合せで揃った際に大当たり遊技を実行する遊技機（１）において、
前記大当たり遊技の実行中に、前記図柄表示装置（２８）に大当たり映像を表示する大当たり映像表示手段（５２）を備え、
前記大当たり映像に前記遊技機（１）に関する基本情報の表示画面を含ませた、
ことを特徴とする遊技機（１）にある。
【００１１】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１２】
請求項１に係る本発明によると、待機映像表示手段は、始動入賞口に所定時間以上、遊技球が入球しなかった際に、始動入賞口に遊技球が入球するまで、図柄表示装置に待機映像を表示し、この待機映像に遊技機に関する基本情報（例えば、スペック）の表示画面を含ませたので、遊技者にその遊技機に関する基本情報（例えば、基本スペック）を確実に知らせることができる。
【００１３】
請求項２に係る本発明によると、大当たり映像表示手段は、大当たり遊技の実行中に、図柄表示装置に大当たり映像を表示し、この大当たり映像に遊技機に関する基本情報（例えば、基本スペック）の表示画面を含ませたので、遊技者にその遊技機に関する基本情報を確実に知らせることができる。
【発明を実施するための最良の形態】
【００１４】
以下、本発明に係る遊技機の実施形態として、遊技場等に設置されるパチンコ機を図１ないし図７に沿って説明する。図１〜図７のうち、図１は本発明に係るパチンコ機の外部構造を示す正面図、図２は本パチンコ機の外部構造を左斜め上方から見た斜視図、図３は本パチンコ機の制御系を示すブロック図、図４は基本情報の表示画像を含んだ待機映像を表示するタイミングを説明するフローチャート、図５は基本情報の表示画像を含んだ大当たり映像を表示するタイミングを説明するフローチャートである。
【００１５】
本パチンコ機（遊技機）１は、発射ハンドル（ハンドル装置）９の操作による発射装置（図示せず）の作動で遊技球を遊技盤７の遊技領域７ａに打ち出しつつ遊技を行うものであり、例えば始動チャッカー（始動入賞口，抽選入賞口）４５に遊技球が入賞することで、アタッカー（大入賞口）（図示せず）の開閉に関する抽選を行い、この抽選の結果が当選状態、いわゆる大当たりが発生した状態でアタッカーに入球した遊技球に対応する数の遊技球を払い出すように構成されている。この大当たりには、抽選の結果に基づいて選択される「通常大当たり」や「確立変動大当たり」などの種類があり、例えば確立変動大当たりの際には、上述の始動チャッカー４５に入賞した際の抽選における大当たりの確立が高くなるとともに、次に大当たりを引くまでの間、遊技者に有利な付加価値を付与し得る特殊状態となる。
【００１６】
図１に示すように、本パチンコ機１は、開口部を有する枠体状の筐体２と、この筐体２に上下のヒンジ機構２６ａ，２６ｂを介して開閉可能に装着された前扉３とを備えており、前扉３の前面には、透明ガラス６を有するガラス枠５が開閉可能に取付けられている。透明ガラス６の奥側には遊技盤７が配置されており、ガラス枠５の上部における左側及び右側には、それぞれ演出用照明装置２３が配置されている。前扉３の下部には、スピーカ（図示せず）を有する放音装置８が配置されている。また、ガラス枠５における中央部の右側には、前扉３を筐体２側に施錠し又は筐体２側から解放するための施錠装置４が配置されている。
【００１７】
前扉３における下部中央、すなわちガラス枠５の下方中央には、遊技球の受皿１３ａを有する上皿ユニット１３と、遊技球の受皿１５ａを有する下皿ユニット１５とが上下二段に設けられている。上皿ユニット１３における左上部には、賞球及び貸球を含む遊技球が供給される球供給口１８が設けられ、また上皿ユニット１３における右上部壁面には、球貸ボタン１４ａ及びプリペイドカード返却ボタン１４ｂが設けられている。
【００１８】
球供給口１８の奥側には、上段の受皿１３ａに遊技球が満たされている場合に溢れた遊技球を、下段の下皿ユニット１５の受皿１５ａに開口した球排出口１９へ導く導通路（図示せず）が設けられている。上段の受皿１３ａで溢れた遊技球は、この導通路を経由して球排出口１９から下段の受皿１５ａに排出される。また、下皿ユニット１５には、レバー２０が設けられており、このレバー２０をスライドすると、受皿１５ａの底部分にあるスライド板２１が開いて、受皿１５ａ内の遊技球が下方に排出される。
【００１９】
前扉３における下皿ユニット１５の右側には、遊技者の操作に基づき発射装置に指令信号を出力する発射ハンドル９と、この発射ハンドル９の奥側に、遊技球を遊技盤７の遊技領域７ａに向けて打ち出す発射装置とが設けられている。なお、下皿ユニット１５の左側には、灰皿２４が配置されている。
【００２０】
上述の遊技盤７の遊技領域７ａの中央部には、遊技球ステージＳ及びこのステージＳからの遊技球を下方の始動チャッカー４５に入賞させるための球放出口１２を有するセンター飾り２５が配置され、センター飾り２５の中央部に形成された矩形状の開口には、遊技盤７裏面側に配置された図柄表示装置（図柄表示手段）２８が露出している。また、センター飾り２５における球放出口１２のやや下方には、大当たり抽選実行の契機となり得る入球が行われる上述の始動チャッカー４５が配設されている。また、遊技領域７ａには、センター飾り２５の左方及び右方にそれぞれ風車５０が回動自在に取り付けられている。この風車は、遊技領域７ａを流下してきた遊技球が当たることで左又は右回転し、遊技球の進路を変更するものである。なお、風車５０については後に詳述する。遊技領域７ａには、センター飾り２５、始動チャッカー４５、風車５０の外に、多数の障害釘（図示せず）が設けられている。
【００２１】
上述構成の本パチンコ機１は、上述の筐体２及び前扉３等によって遊技機本体を構成している。本パチンコ機１が、遊技状の島設備（いずれも図示せず）に、設置された状態においては、図２に示すように、遊技機本体の例えば左側に遊技球供給装置４６が配設される。遊技球供給装置４６は、プリペイドカード挿入口４７を有しており、上述の球貸ボタン１４ａ及びプリペイドカード返却ボタン１４ｂの押下に応じて、遊技球を供給したり、プリペイドカード挿入口４７からプリペイドカードを返却したりする。
【００２２】
次に、本実施形態におけるパチンコ機１の制御系を図３に沿って説明する。
【００２３】
本制御系は、主基板３０と、この主基板３０に接続されたサブ基板３１とを有している。このうち主基板３０は、遊技盤７の裏面側に取り付けられ、サブ基板３１は、上皿ユニット１３の裏面側に取り付けられている。
【００２４】
主基板３０は、本パチンコ機１の動作全体を統括的に管理するものであり、本パチンコ機１の動作全体を管理するシステムプログラム及び遊技用の実行プログラムが予め記憶された半導体メモリ等からなる記憶部（図示せず）と、これらのプログラムを実行するマイクロプロセッサ（ＭＰＵ）とを備えている。この主基板３０は、入賞判定手段３２、入賞信号出力手段３３、大当たり抽選手段３８、演出決定手段４０、保留手段３７、待機映像表示手段５１、及び大当たり映像表示手段５２を有している。
【００２５】
入賞判定手段３２は、発射ハンドル９の操作で作動する発射装置（図示せず）によって遊技盤７の遊技領域７ａに打ち出された遊技球が始動チャッカー４５に入賞したとき、この始動チャッカー４５への入賞と判定する。
【００２６】
入賞信号出力手段３３は、入賞判定手段３２によって始動チャッカー４５への入賞が判定されたとき、始動チャッカー４５に入賞した旨の入賞信号を出力する。
【００２７】
大当たり抽選手段３８は、抽選用メモリ３９を有していて、入賞信号出力手段３３からの入賞信号の入力時、始動チャッカー４５への入賞を契機として、次なる大当たりを当選させるまで遊技者に有利な付加価値を付与し得る特殊状態となる確率変動当たり、特殊状態とはならない通常当たり、及び外れのうちのいずれか一に当選するように、抽選用メモリ３９から当たり当選乱数値を取得して、大当たり抽選を実行する。
【００２８】
抽選用メモリ３９は、予め設定された確変当たり当選乱数値及び通常当たり当選乱数値を有する当たり判定テーブルを格納している。
【００２９】
演出決定手段４０は、演出抽選手段４１、演出抽選決定手段４２、及び演出用メモリ４３を有しており、演出抽選決定手段４２から出力される変動パターンコマンドに基づく演出表示が終了するまでは次の変動パターンコマンドを送信しないようにするために図柄変動禁止フラグをオンし、このオンした図柄変動禁止フラグを解除する時間を計測するための図柄変動タイマをセットする。
【００３０】
演出抽選手段４１は、大当たり抽選で確変当たりに当選した場合、変動の結果、確変当たりに対応する「１１１」、「３３３」や「７７７」等の図柄が大当たり有効ライン上で最終的に揃う旨の変動パターンを決定すべく、演出用メモリ４３に格納された演出乱数値に基づいて演出の抽選を実行する。なお、上述の「大当たり有効ライン」は、大当りを得るため図柄が一列に並ぶべき位置（ライン）を意味する。演出抽選手段４１は、また大当たり抽選で通常当たりが当選した場合、変動の結果、通常当たりに対応する「２２２」、「４４４」や「８８８」等の図柄が大当たり有効ライン上で最終的に揃う旨の変動パターンを決定すべく、演出乱数値に基づいて演出の抽選を実行する。演出抽選手段４１は、また大当たり抽選で外れた場合、変動の結果、外れに対応する「２５２」、「４６４」や「８３８」等の図柄が大当たり有効ライン上で最終的に揃う旨の変動パターンを決定すべく、演出の抽選を実行する。
【００３１】
また演出抽選手段４１は、大当たり抽選での当選結果や外れ結果に応じた変動パターンコマンドの出力に先だって、いわゆるスーパーリーチの発生が確定するリーチ予告のコマンドをこの変動パターンコマンドとともに出力するか否かを、演出用メモリ４３からリーチ予告当選乱数値を取得してリーチ予告抽選を行う。演出抽選手段４１は、さらにリーチ予告抽選で当選した場合、演出用メモリ４３に格納された演出乱数値に基づいて、上述のリーチ予告抽選で当選したリーチ予告として実行されるべき予告パターンを抽選する。
【００３２】
演出抽選決定手段４２は、演出抽選手段４１での抽選で決定された予告パターンに対応するリーチ予告コマンドを、演出抽選手段４１での抽選で決定された演出に係る変動パターンコマンド変動パターンコマンドとともに出力する。
【００３３】
演出用メモリ４３は、図柄表示装置２８の液晶パネル（表示パネル）２８ａ上で所要の演出表示を行い得るように予め設定された複数の変動パターンのデータと、確変当たり時の変動パターン、通常当たり時の変動パターン、及び大当たり外れ時の変動パターンにそれぞれ対応するように予め設定された演出乱数値とを格納している。演出用メモリ４３は、さらにリーチ予告の予告パターンに対応するように予め設定された演出乱数値を格納するとともに、予め設定されたリーチ予告当選乱数値を有するリーチ予告判定テーブルを格納している。
【００３４】
保留手段３７は、演出抽選決定手段４２から出力された変動パターンコマンドを入力し、始動チャッカー４５への入賞の都度に行われた抽選の結果となる保留球として順次記憶する。この記憶状況は、遊技領域７ａ内に備えた保留球表示部（図示せず）に、例えば最大４個の保留球として点灯表示される。保留手段３７は、例えば保留球数Ｈが０＜Ｈ＜５であるか否かを常時判定し、保留球数Ｈが４個表示されている間は、始動チャッカー４５への入賞にかかわらず大当たり抽選は行わない。
【００３５】
そして保留手段３７は、保留（記憶）している変動パターンコマンドを順次演出制御手段３４に送信し、この送信した変動パターンコマンドに基づく演出表示が終了するまでは次の変動パターンコマンドを送信しないようにするための図柄変動禁止フラグを立てる（オンする）とともに、このオンした図柄変動禁止フラグを解除する時間を計測するための図柄変動タイマ（図示せず）をセットし、変動パターンコマンドの送信に応じて保留球数を１デクリメントする。また保留手段３７は、保留球の消費に応じて保留球数ＨがＨ＜４となった場合、大当たり抽選手段３８で行われる始動チャッカー４５への入賞に応答した大当たり抽選の結果を保留球として記憶し、保留球数を１インクリメントする。
【００３６】
なお、本実施形態では、保留球に対応して点灯表示される保留球数を最大４個として説明するが、この保留球数は、適宜、例えば３個以下、又は５個以上とすることが可能である。また、保留球数を点灯表示する上述の保留球表示部は、例えば、センター飾り２５の一部や、図柄表示装置２８の表示画面内に設けることができる。
【００３７】
待機映像表示手段５１は、待機映像用メモリ５３を有していて、始動チャッカー４５に所定時間以上、遊技球が入球しなかった際に、始動チャッカー４５に遊技球が入球するまで、上述の図柄表示装置２８の液晶パネル２８ａに待機映像を表示するものである。すなわち、上述のように、遊技球が始動チャッカー４５に入賞したとき、入賞判定手段３２によって入賞が判定される。さらに入賞が判定されると、入賞信号出力手段３３によって入力信号が出力される。待機映像表示手段５１は、入賞信号出力手段３３が出力する入力信号によって待機映像禁止フラグをオンするとともに、このオンした待機映像禁止フラグを解除する時間を計測するための待機映像タイマ（図示せず）をセットする。待機映像表示手段５１は、待機映像タイマが計時する時間（計時時間）と、待機映像用メモリ５３に予め格納されている所定時間とを比較し、計時時間が所定時間を超えたときに、待機映像禁止フラグを解除し、液晶パネル２８ａに待機映像を表示させる。なお、待機映像としては、そのパチンコ機１のデモンストレーションの映像をはじめ、広告用の映像等の任意の映像とすることができ、また動画に限らず静止画であってもよいものとする。待機映像表示手段５１は、待機映像の表示を開始した後は、遊技者が遊技を開始して上述のように始動チャッカー４５に遊技球が入賞したことを契機に、待機映像禁止フラグをオンし、待機映像の表示を終了するとともに、待機映像タイマによる計時を開始する。
【００３８】
本実施の形態では、上述の待機映像に、そのパチンコ機１に関する基本情報の表示画面を含ませるようにしている。ここで、基本情報としては、例えば、そのパチンコ機１の基本スペック（賞球数、大当り確立（低確率時及び高確率時）、確変タイプ、リミッターなど）や、そのパチンコ機１の特徴や遊技方法などについての情報がある。これらの基本情報を、待機映像表示手段５１によって液晶パネル２８ａに、待機映像の領域全体として、又はその一部として表示させるのである。ここで、基本情報の表示は、待機映像を表示している期間全体であっても、またその一部の期間であってもよい。なお、本実施の形態では、待機映像表示手段５１は、パチンコ機１の電源のオン時においても、液晶パネル２８ａ上に、待機映像を表示し、少なくともその待機映像の一部に、パチンコ機１の基本情報を含ませるようにしている。
【００３９】
大当たり映像表示手段５２は、大当たり遊技の実行中に、上述の図柄表示装置２８の液晶パネル２８ａに大当たり映像を表示するものである。すなわち、上述のアタッカー（大入賞口）の開閉に関する抽選を行って、この抽選の結果が当選状態となり、かつ大当たりを得るための図柄が大当たりラインに一列に並ぶと、大当たり遊技が開始される。大当たり映像表示手段５２は、大当たり遊技の開始を契機として、液晶パネル２８ａに大当たり映像を表示させる。なお、大当たり映像としては、そのパチンコ機１のデモンストレーションの映像をはじめ、広告用の映像等の任意の映像とすることができ、また動画に限らず静止画であってもよいものとする。大当たり映像表示手段５２は、大当たり遊技中は連続して大当たり映像を表示し、大当たり遊技の終了に対応して、大当たり映像の表示を終了する。
【００４０】
本実施の形態では、上述の大当たり映像に、そのパチンコ機１に関する基本情報の表示画面を含ませるようにしている。ここで、基本情報としては、例えば、上述の待機映像と同様に、そのパチンコ機１の基本スペック（賞球数、大当り確立（低確率時及び高確率時）、確変タイプ、リミッターなど）や、そのパチンコ機１の特徴や遊技方法などについての情報がある。これらの基本情報を、大当たり映像表示手段５２によって液晶パネル２８ａに、大当たり映像の全体として、又はその一部として表示させるのである。
【００４１】
またサブ基板３１は、演出制御手段３４を有しており、サブ基板３１には、放音装置８及び演出用照明装置２３が接続されるとともに、液晶制御基板３５を介して液晶パネル２８ａが接続されている。このサブ基板３１は、主基板３０中の上述のマイクロプロセッサから供給される演出制御信号に従って、実装された電気回路からなる上述の演出制御手段３４が、放音装置８及び演出用照明装置２３を適時駆動し、また液晶制御基板３５を介して液晶パネル２８ａを適時駆動して、遊技者の視覚及び聴覚に訴える演出表示を行う。また、演出制御手段３４は、主基板３０中の上述のマイクロプロセッサの待機映像表示手段５１、大当たり映像表示手段５２からの制御信号に従って、液晶制御基板３５を介して液晶パネル２８ａを適時駆動して、上述の待機映像や大当たり映像においてパチンコ機１の基本情報を表示するようにしている。
【００４２】
放音装置８、演出用照明装置２３、及び液晶パネル２８ａは、上述したように演出制御手段３４による制御に応答して、通常時の演出や大当り時における特別な演出を、音や光及び画像表示等によって行う。
【００４３】
ここで演出制御手段３４は、より詳細には、図柄表示装置２８を制御して種々の遊技状況に応じた図柄を表示させる手段であり、所定条件の成立を契機として、いわゆるスーパーリーチの発生が確定するリーチ予告を図柄表示装置２８の表示領域に表示する。ここで、上述の「所定条件の成立」とは、入賞信号出力手段３３からの入賞信号を大当たり抽選手段３８が受けこれに基づく抽選を行った結果出力された変動パターンコマンドとリーチ予告コマンドとを演出制御手段３４が受け取った状況の成立を意味する。
【００４４】
ついで、本パチンコ機１全体による作用について説明する。すなわち、本パチンコ機１に対して着座した遊技者が発射ハンドル９を握り、適宜の角度に回動操作すると、発射装置（図示せず）の作動によって遊技球が所定の時間間隔で遊技領域７ａに向けて連続的に発射される。すると、遊技領域７ａに放出された多数の遊技球は、始動チャッカー４５等に入賞し、あるいはこれらに関与せず転動落下して遊技領域最下部のアウト口（図示せず）から遊技盤７背面側に排出される。
【００４５】
そして、始動チャッカー４５に入賞した場合、入賞判定手段３２がこの入賞を判定し、かつ入賞信号出力手段３３が入賞信号を出力する。この際、保留手段３７は、保留球Ｈが０＜Ｈ＜５であるか否かを常時判定しており、０＜Ｈ＜５を満たすと判定したときには、保留している変動パターンコマンドを順次、演出制御手段３４に送信し、図柄変動禁止フラグをオンするとともに、図柄変動タイマをセットし、変動パターンコマンドの送信に応じて保留球数を１デクリメントする。また保留手段３７は、保留球の消費に応じて保留球数ＨがＨ＜４となった場合、大当たり抽選手段３８で行われる始動チャッカー４５への入賞に応じた大当たり抽選の結果を保留球として記憶し、保留球数を１インクリメントする。
【００４６】
一方、保留手段３７による上述の処理と並行して、主基板３０では、以下のような処理が進行している。すなわち、保留手段３７は、前回の変動パターンコマンド送信時にセットされた図柄変動タイマが解除されたか否か（つまり、次の図柄変動を許可できるか否か）を判定し、その結果、解除されていれば、大当たり抽選手段３８が、入賞信号出力手段３３からの入賞信号に応答して、抽選用メモリ３９の当たり判定テーブルから当たり当選乱数値を読み込み、この当たり当選乱数値と、入力した上述の入賞信号に対応する乱数値とに基づいて大当たり抽選を行う。
【００４７】
そして、大当たり抽選手段３８は、大当たり抽選で当選した場合、当たりフラグをオンし、さらに演出抽選手段４１及び演出抽選決定手段４２が、演出用メモリ４３に格納された演出乱数値に基づく抽選で、大当たりの種別、つまり確変当たり又は通常当たりに対応する変動パターンを決定する。
【００４８】
これにより、図柄表示装置２８に表示される当たり図柄がセットされ、演出抽選決定手段４２は、その旨の変動パターンコマンドを出力し、演出決定手段４０が、この変動パターンコマンドに基づく演出表示が終了するまでは次の変動パターンコマンドを送信しないようにするために図柄変動禁止フラグをオンし、このオンした図柄変動禁止フラグを解除する時間を計測するための図柄変動タイマをセットする。そして、保留手段３７は、変動パターンコマンドの送信に応じて保留球数を１デクリメントする。
【００４９】
一方、大当たり抽選で外れた場合には、演出用メモリ４３に格納された演出乱数値に基づく抽選で、外れに対応する図柄が、変動の結果、最終的に揃う変動パターンを決定し、その旨の変動パターンコマンドを出力する。これにより、図柄表示装置２８に表示される外れ図柄がセットされ、演出決定手段４０は、その旨の変動パターンコマンドを演出抽選決定手段４２から出力するとともに、図柄変動禁止フラグをオンし、図柄変動タイマをセットし、変動パターンコマンドの送信に応じて保留球数を１デクリメントする。
【００５０】
上述のように演出抽選決定手段４２から確変当たり、通常当たり又は外れに対応する変動パターンコマンドが出力され、保留手段３７を介して演出制御手段３４が当該変動パターンコマンドを受け取った際、演出制御手段３４は、液晶制御基板３５を介して液晶パネル２８ａを駆動し、確変当たりに対応する「１１１」等の図柄がその変動の結果、大当たり有効ライン上で最終的に揃う変動パターンを演出表示させ、又は通常当たりに対応する「２２２」等の図柄がその変動の結果、大当たり有効ライン上で最終的に揃う変動パターンを演出表示する。あるいは、演出制御手段３４は、外れに対応する「２５２」等の図柄がその変動の結果、大当たり有効ライン上で最終的に揃う変動パターンを演出表示する。
【００５１】
つづいて、図４のフローチャートを参照して、上述のパチンコ機１における、基本情報を含んだ待機映像の表示の流れについて説明する。なお、フローチャート中のＳ１，Ｓ２……は、手順（ステップ）の番号を示すものとする。
【００５２】
パチンコ機１の電源がオンされると（Ｓ１）、待機映像表示手段５１は、液晶パネル２８ａに待機映像を表示する（Ｓ２）。この待機映像には、上述した、パチンコ機１についての基本情報の表示画面が含まれている。ここで、遊技者が遊技を開始する。遊技盤７の遊技領域７ａには、次々と遊技球が打ち出される。待機映像表示手段５１は、始動チャッカー４５に入球があるまで（Ｓ３のＮＯ）、液晶パネル２８ａに待機映像の表示を続ける。待機映像表示手段５１は、始動チャッカー４５に入球があった場合には（Ｓ３のＹＥＳ）、待機映像の表示を終了し、待機映像タイマによる計時を開始する（Ｓ４）。待機映像タイマによる計時開始後、所定時間が経過する前に（Ｓ５のＮＯ）、始動チャッカー４５に入球があった場合（Ｓ６のＹＥＳ）、Ｓ４に戻り、待機映像を表示することなく、待機映像タイマをリセットして計時を開始する。待機映像タイマの計時開始後、所定時間が経過しても始動チャッカー４５に入球がない場合で（Ｓ５のＹＥＳ）、電源オフでない場合（Ｓ７のＹＥＳ）には、上述のＳ２に戻って待機映像を表示する（Ｓ２）。一方、電源オフの場合（Ｓ７）は、動作を終了する。
【００５３】
つづいて、図５のフローチャートを参照して、上述のパチンコ機１における、基本情報を含んだ大当たり映像の表示の流れについて説明する。
【００５４】
パチンコ機１の電源がオンされると（Ｓ１１）、始動チャッカー４５に遊技球が入球したことに基づき、図柄が特定図柄の組合せで揃った際に大当たり遊技を実行する（Ｓ１２のＹＥＳ）。この大当たり遊技の実行を契機に、大当たり映像表示手段５２は、液晶パネル２８ａ上に大当たり映像の表示を開始する（Ｓ１３）。この大当たり映像には、上述した、パチンコ機１についての基本情報の表示画面が含まれている。そして、大当たり遊技が終了した時点で（Ｓ１４のＹＥＳ）、大当たり映像の表示を終了する。これらの一連の動作は、電源がオフされる（Ｓ１６）まで、繰り返される。
【００５５】
以上説明したように、本発明においては、上述のように、パチンコ機１の電源がオンされてから始動チャッカー４５に入球があるまでの間や、始動チャッカー４５に所定時間以上、入球がない場合に、待機映像表示手段５１によって液晶パネル２８ａ上に待機映像を表示し、この待機映像に、そのパチンコ機１に関する基本情報の表示画面を含ませるようにしている。また、大当たり遊技の実行中に、大当たり映像表示手段５２によって液晶パネル２８ａ上に大当たり映像を表示し、この大当たり映像に、そのパチンコ機１に関する基本情報の表示画面を含ませるようにしている。これにより、遊技者に、そのパチンコ機１の基本情報、例えば、基本スペック（賞球数、大当り確立（低確率時及び高確率時）、確変タイプ、リミッターなど）や、その遊技機の特徴や遊技方法などを有効に知らせることができる。
【００５６】
以上、本発明をその好適な実施形態に基づいて説明したが、本発明の遊技機は、上述の実施形態の構成にのみ限定されるものではなく、上述の実施形態の構成から種々の修正及び変更を施した遊技機も、本発明の範囲に含まれる。
【図面の簡単な説明】
【００５７】
【図１】本発明の実施形態におけるパチンコ機の外部構造を示す正面図である。
【図２】本発明の実施形態におけるパチンコ機の外部構造を左斜め上方から見た斜視図である。
【図３】本実施形態におけるパチンコ機の制御系を示すブロック図である。
【図４】基本情報の表示画像を含んだ待機映像を表示するタイミングを説明するフローチャートである。
【図５】基本情報の表示画像を含んだ大当たり映像を表示するタイミングを説明するフローチャートである。
【符号の説明】
【００５８】
１…遊技機（パチンコ機）
２…遊技機本体（筐体）
３…遊技機本体（前扉）
７…遊技盤
７ａ…遊技領域
２８…図柄表示装置（図柄表示手段）
２８ａ…液晶パネル
４５…始動入賞口（始動チャッカー）
５１…待機映像表示手段
５２…大当たり映像表示手段
【図１】
2006296472.tif 000003
【図２】
2006296472.tif 000004
【図３】
2006296472.tif 000005
【図４】
2006296472.tif 000006
【図５】
2006296472.tif 000007